(57)【要約】      （修正有）【課題】室内外を装飾するとともに多機能に使用でき、室内外の仕切り材として使用できるカーテンを提供する。【解決手段】カーテン用布地を二つ折りにして、又は異なる二種の布地を用いて、裏側を相互に重ね合わせて、それぞれの両端の耳部および上下端部を縫い合わせる。一体化した布地の中に、第三の布地または他の材質のものを挿入し、上端部を閉じる。【選択図】図１
0003152500.tif 000002
【実用新案登録請求の範囲】
【請求項１】
カーテン用布地を、使用するカーテンの長さの二倍を、二つ折りにして布地の裏側に裏側を重ね、布地の両端の耳部および上端部で縫い合わせることなどにより、布地の表側だけが両面に表れた、裏側のないカーテン用布地によって形成されたことを特徴とするカーテン。
【請求項２】
異なった二種の布地の裏側相互を重ね合わせて、それぞれの両端の耳部および上下端部を縫い合わせることなどにより、異なった色や模様の表側のみが表れたカーテン用布地によって形成されたことを特徴とするカーテン。
【請求項３】
異なった二種の機能の裏加工を行った布地の裏側相互を重ね合わせて、それぞれの両端の耳部および上下端部を縫い合わせることなどにより、二種の機能の裏加工を行った布地を組み合わせ、両面とも表側が表れたカーテン用布地によって形成されたことを特徴とする多機能カーテン。
【請求項４】
第一の布地と第二の布地の裏側相互を重ね合わせてそれぞれの両端の耳部および下端部を縫い合わせるなどして、一体化した布地の中に、第三の布地または他の材質による物を挿入した後、上端部を両面接着テープまたは鳩目などの固定手段により閉じる構成としたことを特徴とする仕切り材兼用カーテン。
【請求項５】
第三の布地または他の材質による物として、ゴム引き布地、プラスチックフィルム、薄い鉄板、プラスターボード、木炭加工布、金属粉加工布などのそれぞれからなることを特徴とする請求項４記載の仕切り材兼用カーテン。
【考案の詳細な説明】
【技術分野】
【０００１】  この考案は、カーテンおよび仕切り材兼用カーテンに関するものである。
【背景技術】
【０００２】  従来からのカーテンとして用いられる布地は、製造の過程では表裏ができるが、カーテンは室内装飾品として、一般的には布地の表側の面を室内側に向けて使用するのが通例であり、その結果、裏側の面が窓ガラスを通して外向けになっており、外側に向けてはカーテンの裏側が出ていることになる。ここで、窓は外から家の内部が見えるので、カーテンは室内を見え難くすると共に、窓面を美しく装飾するため役目がある。したがって窓から見える室内、とりわけ、カーテンの色や模様は建物の外観の大事な一部を形成する。このようにカーテンは、室内装飾としての機能と同時に、外装的性格を持っており、そこで両面とも表側の色や模様があるカーテンが必要となる。ここで特開平１１−５６５９６号公報の「遮音、吸音カーテン」は、二枚の布地を背中合わせに構成したことを示しているが、布地において、本来表側に表れる装飾的な色、模様などを、表、裏側双方に表すということについて開示されていない。
【先行技術文献】
【特許文献】
【０００３】
【特許文献１】  特開平１１−５６５９６号  公報
【考案の概要】
【考案が解決しようとする課題】
【０００４】  カーテンは、室内装飾としての機能と同時に、外装的性格を持っており、そこで両面とも表側の色や模様があるカーテンが必要である。この考案は、それを解決するために布地の裏相互を重ね合わせ両面共に表側の色、模様などが表れることに着目したカーテンであり、合わせて布地の裏加工や布地間に補強材などを挟み込むことにより、多機能に使用でき、さらにそれが室内外の仕切り材としても用いられる。
【課題を解決するための手段】
【０００５】  カーテン用布地（Ｘ）を使用するカーテンの長さの二倍を、二つ折りにして布地（Ｘ）の裏側（Ｂ）をもう一方の裏側（Ｂ’）に重ね、布地（Ｘ）の両耳部（ｘ）および上端部（ｔ）のところで縫い合わせることなどにより、布地（Ｘ）の表側（Ａ）だけが両面に表れた、すなわち裏側のないカーテン地を得ることができ、これによってカーテン（Ｃ）を形成することにより、布地の裏相互を重ね合わせ両面共に表側の色、模様などが表れる内外面の装飾性を有するカーテンとし、また異なった二種の機能の裏加工を行った第一の布地（Ｘ）、第二の布地（Ｙ）の裏側相互を重ね合わせて、それぞれの両端の耳部および上下端部を縫い合わせることなどにより、二種の機能の裏加工を行った布地を組み合わせ、両面とも表側が表れたカーテン用布地によって形成されたことを特徴とする多機能カーテン、第一の布地（Ｘ）と第二の布地（Ｙ）の裏側相互を重ね合わせ、一体化した布地の中に、第三の布地（Ｚ）または他の材質による物（Ｚ’）［布状物、平板状物、フィルム状物を含む］を挿入した後、上端部（ｔ）を両面接着テープまたは鳩目（Ｍ）などの固定手段により閉じる構成としたことを特徴とする仕切り材兼用カーテンとして、装飾性と各種の機能を付与したカーテンおよび仕切り材兼用カーテンとする。
【考案の効果】
【０００６】  カーテンは、室内装飾としての機能と同時に、外装的性格を持っており、両面とも表側の色や模様があるカーテンが必要である。この考案は、裏加工を含む布地の裏相互を重ね合わせることにより、室内外の装飾、機能性を達成し、また布地間に補強物材などを挟み込んでカーテンを形成することにより、多機能とし、それは室内外の仕切り材として用いてもまことに有用となる。
【図面の簡単な説明】
【０００７】
【図１】この考案のカーテンの実施例を示す正面斜視図と側面図である。
【図２】この考案の仕切り材兼用カーテンの実施例を示す正面図と側断面図である。
【図３】この考案の仕切り材兼用カーテンの他の実施例を示す正面図と、一部縦側拡大断面図である。
【考案を実施するための形態】
【０００８】  カーテン用布地（Ｘ）を使用するカーテンの長さの二倍を、二つ折りにして布地（Ｘ）の裏側（Ｂ）をもう一方の裏側（Ｂ’）に重ね、布地（Ｘ）の両耳部（ｘ）および上端部（ｔ）のところで縫い合わせることにより、布地（Ｘ）の表側（Ａ）だけが両面に表れたところの、裏側のないカーテン地を得ることができ、これによってカーテン（Ｃ）を形成することにより、布地の裏相互を重ね合わせ両面共に表側の色、模様などが表れる内外面の装飾性を有するカーテンとなり、また異なった二種の機能の裏加工を行った第一の布地（Ｘ）、第二の布地（Ｙ）の裏側相互を重ね合わせて、それぞれの両端の耳部および上下端部を縫い合わせることなどにより、二種の機能の裏加工を行った布地を組み合わせ、両面とも表側が表れたカーテン用布地によって形成されたことを特徴とする多機能カーテンとなり、また第一の布地（Ｘ）と第二の布地（Ｙ）の裏側相互を重ね合わせ、一体化した布地の中に、第三の布地（Ｚ）または他の材質による物（Ｚ’）を挿入した後、上端部（ｔ）を適宜の固定手段により閉じる構成としたことを特徴とする仕切り材兼用カーテンとして、内外両面の装飾性と、防音、保温、断熱、消臭、電磁波対策などの各種の機能を付与した仕切り材兼用カーテンとなる。
【実施例】
【０００９】  図１（ａ）、（ｂ）において、カーテン用布地（Ｘ）［以下単に布地（Ｘ）と云う］をその使用する長さの二倍を、二つ折りにして布地（Ｘ）の裏側（Ｂ）をもう一方の裏側（Ｂ’）に重ね、布地（Ｘ）の両端の耳部（ｘ）および上端部（ｔ）のところで、たとえば点線で図示するように縫い合わせることにより、布地（Ｘ）の表側（Ａ）だけが両面に表れた、すなわち裏側のないカーテン地を得ることができ、これによってカーテン（Ｃ）を形成する。【００１０】  図２（ａ）、（ｂ）［図２（ａ）の矢印断面］において、異なった二種の布地（Ｘ），（Ｙ）の裏側（Ｂ），（Ｂ’）相互を重ね合わせて、それぞれの両端の耳部（ｘ），（ｙ）および上端部（ｔ）、下端部（ｓ）をたとえば点線で図示するように縫い合わせることによって、異なった表側（Ａ）の面を持った裏の無いカーテン地を得ることができ、これによって両面とも同じまたは異なった色や模様の表側（Ａ）のみが表れたカーテン用布地を得ることができ、これによってカーテン（Ｃ’）を形成する。【００１１】  前述の二枚の布地の裏側にそれぞれ消臭加工、紫外線吸着加工などの各種の機能加工を施しておくと、用いる布地の組み合わせにより、両面に同じ、または異なった模様などが現れると同時に、両面が同じ、または異なった機能を有するカーテン地によるカーテンを得ることができる。【００１２】  たとえば第一の布地の裏に消臭剤を塗布する裏加工を行っておき、第二の布地の裏には紫外線吸着剤で裏加工を行ったものの組み合わせの場合、室内側には消臭機能があり、湿外側の裏側には紫外線カット効果のあるカーテンとなって、それは両面が表側の現れた多機能カーテンとなる。【００１３】  前述のように二枚の布地を用いてカーテンを形成するときに、これら二枚の第一、第二の布地の間に第三の布地などを插し込むことができるようになるが、これにより両面の布地の色や模様やそれら自体の材質の機能の他に、内包する第三の布地などによる他物により、種々の機能を合わせ持ったカーテン、さらにそれを室内外の内装、外装に用いる仕切り材とすることができる。図３（ａ）、（ｂ）において、第一の布地（Ｘ）と第二の布地（Ｙ）の裏側（Ｂ），（Ｂ’）相互を重ね合わせて、それぞれの両端の耳部（ｘ），（ｙ）および下端部（ｓ）を点線図示のように縫い合わせるなどして一体化した布地の中に、たとえば第三の布地（Ｚ）または他の材質による物［布状物、平板状物、フィルム状物を含む］（Ｚ’）［図示せず］を挿入した後、上端部（ｔ）を両面接着テープまたは図示する鳩目（Ｍ）などの固定手段により閉じて得るカーテン（Ｃ”）の構成である。【００１４】  第三の布地（Ｚ）または他の材質による物（Ｚ’）の例としては、ゴム引き布地、プラスチックフィルム、薄い鉄板、プラスターボード、木炭加工布、金属粉加工布を選択して用いることにより、空気を遮断する材質のものの場合は、断熱保温機能、空気を遮断して重い材質のものは遮音機能、その他消臭機能、電磁波制限機能などの諸機能を付与することができる。第一、第二の布地は毛布様に柔らかく厚みがあり、第三の布地または他の材質による布状物は、通気性が無く硬い性質という組み合わせの場合は、吸音性と遮音性とを兼ね備え、それは断熱保温性も高く、さらに高機能、多機能となる。【００１５】  このように第一、第二、第三の布地または他の材質による物の選択と組み合わせにより、それぞれの布地または各材質の物の相乗効果によって、従来において無かった各種、各様の機能が付与された多機能的カーテンが形成され、さらにこれらは室内外を仕切る仕切り材としての用途に適用できる。なお第三の布地または他の材質による物が、比較的薄くて柔らかい材質の場合は、第一の布地、第二の布地といっしょに縫い合わせることもできる。
【符号の説明】
【００１６】（Ｘ）布地
（Ｙ）布地
（Ａ）表側
（Ｂ），（Ｂ’）裏側
（ｘ），（ｙ）耳部
（ｔ）上端部
（ｓ）下端部
（Ｃ），（Ｃ’），（Ｃ”）カーテン
（Ｚ）第三の布地
（Ｚ’）物
（Ｍ）鳩目
【図１】
0003152500.tif 000003
【図２】
0003152500.tif 000004
【図３】
0003152500.tif 000005
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
カーテン用布地を、使用するカーテンの長さの二倍を、二つ折りにして布地の裏側に裏側を重ね、布地の両端の耳部および上端部で縫い合わせることにより、布地の表側だけが両面に表れた、裏側のないカーテン用布地によって形成されたことを特徴とするカーテン。
【請求項２】
異なった二種の布地の裏側相互を重ね合わせて、それぞれの両端の耳部および上下端部を縫い合わせることにより、異なった色や模様の表側のみが表れたカーテン用布地によって形成されたことを特徴とするカーテン。
【請求項３】
異なった二種の機能の裏加工を行った布地の裏側相互を重ね合わせて、それぞれの両端の耳部および上下端部を縫い合わせることにより、二種の機能の裏加工を行った布地を組み合わせ、両面とも表側が表れたカーテン用布地によって形成されたことを特徴とする多機能カーテン。
【請求項４】
第一の布地と第二の布地の裏側相互を重ね合わせてそれぞれの両端の耳部および下端部を縫い合わせて、一体化した布地の中に、第三の布地または他の材質による物を挿入した後、上端部を両面接着テープまたは鳩目などの固定手段により閉じる構成としたことを特徴とする仕切り材兼用カーテン。
【請求項５】
第三の布地または他の材質による物として、ゴム引き布地、プラスチックフィルム、薄い鉄板、プラスターボード、木炭加工布、金属粉加工布のそれぞれからなることを特徴とする請求項４記載の仕切り材兼用カーテン。